(57)【要約】【課題】構造が簡単で、薄型の穿刺手段を備えた体液採取具を提供すること。【解決手段】チップ１は、下面３５１から上面３５２へ貫通する開口３１有する、板状の基部３５と、基部３５の下面３５１にその一端が片持支持された板バネ２と、該板バネ２の他端部の基部３５側の面に、その先端が開口３１を通過可能に形成された穿刺針５とからなる穿刺手段と、基部３５の上面３５２で開口３１の縁部に設けられた生体表面を当接する当て部８とを備えている。板バネ２は、自然状態で穿刺針５が基部３５の下面３５１から離れて位置する第１の位置と、当て部８に当接された生体表面に向けて穿刺針５を移動するための力が蓄積される第２の位置と、穿刺針５が生体表面を穿刺する第３の位置とに変位可能である。【選択図】図２
2006075369.tif 000002
【特許請求の範囲】
【請求項１】
第１の面と、第２の面とを有し、前記第１の面から前記第２の面へ貫通する部分を一部に有する基板と、
前記基板の第１の面にその一端が片持支持された板バネと、該板バネの他端部の前記基板側の面に、その先端が前記貫通部分を通過可能に形成された穿刺針とからなる穿刺手段と、
前記基板の第２の面で前記貫通部分の縁部に設けられた生体表面を当接する当て部とを備え、
前記板バネは、自然状態で前記穿刺針が前記基板の第１の面から離れて位置する第１の位置と、前記当て部に当接された生体表面に向けて前記穿刺針を移動するための力が蓄積される第２の位置と、前記穿刺針が生体表面を穿刺する第３の位置とに変位可能であることを特徴とする体液採取具。
【請求項２】
前記穿刺針による生体表面の穿刺部位から出た体液を吸収・保持し、該吸収・保持された体液中の所定成分を検出する検出部を前記基板の第１の面に備え、
前記板バネは、前記第１の位置、前記第２の位置および前記第３の位置で、前記検出部を回避するように形成されている請求項１に記載の体液採取具。
【請求項３】
前記板バネは、前記検出部の両側に位置する２つのアーム部と、前記両アーム部を連結する小片とで構成されている請求項２に記載の体液採取具。
【請求項４】
前記板バネの２つのアーム部と小片とは、前記検出部を囲む位置にあり、かつ、前記板バネが変位しても該検出部と接触しない位置にある請求項３に記載の体液採取具。
【請求項５】
前記生体表面を穿刺する際の前記穿刺針の穿刺深さを規制する規制手段を備えた請求項１ないし４のいずれかに記載の体液採取具。
【請求項６】
前記第１の位置に位置する前記板バネを前記第２の位置まで変位させるための操作を行う操作部を備えた請求項１ないし５のいずれかに記載の体液採取具。
【請求項７】
前記体液採取具が前記基板の側端から伸長した側壁部を有し、
前記側壁部には、前記板バネが前記第２の位置に位置していることを示す指標が付されている請求項１ないし６のいずれかに記載の体液採取具。
【請求項８】
前記当て部は、前記穿刺針により生体表面が穿刺された後、その穿刺部位より外周の生体表面を変形させるように変位する請求項１ないし７のいずれかに記載の体液採取具。
【請求項９】
前記当て部の生体表面に対する当接面は、前記当て部が変位したとき、生体表面に対して滑り止め機能を発揮するように形成されている請求項８に記載の体液採取具。
【請求項１０】
前記当て部の生体表面に対する当接面は、生体表面に対して滑り難い形状をなしている請求項１ないし９のいずれかに記載の体液採取具。
【請求項１１】
前記当て部の生体表面に対する当接面は、柔軟性を有する請求項１ないし１０のいずれかに記載の体液採取具。
【発明の詳細な説明】
【技術分野】
【０００１】
本発明は、体液採取具に関する。
【背景技術】
【０００２】
近年、糖尿病患者の増加に伴い、日常の血糖値の変動を患者自身がモニターする自己血糖測定が推奨されてきている。
【０００３】
血糖測定は、まず、針や刃先等により皮膚に小さな傷をつくり（皮膚を穿刺して）、その傷（穿刺部位）から血液を出させる。次に、この出血した血液を、例えば、血液中のブドウ糖量に応じて呈色する試験紙（試験部）に供給・展開して呈色させ、その呈色の度合いを光学的に測定（測色）することにより、血糖値（血液中のブドウ糖量）を定量化する。このような測定を行う測定装置としては、例えば、特許文献１に記載された成分測定装置が知られている。
【０００４】
この成分測定装置は、穿刺針の駆動源としてコイルバネを有し、コイルバネの付勢力により、チップ（穿刺チップ）の穿刺針を皮膚（生体表面）の方向へ突出させるよう構成されている。さらに、突出した穿刺針を引き戻すための別のコイルバネも備えている。
【０００５】
しかしながら、このような成分測定装置では、穿刺針（チップ）を操作する（突出させる）のに、コイルバネが設置可能な箇所が限定（制限）される場合がある。従って、成分測定装置やチップの形状に制約を受ける、すなわち、成分測定装置やチップがその長手方向（穿刺方向）に長く（大きく）なる。このため、成分測定装置、チップの携帯性、取扱性が悪化する場合があるという問題があった。
【０００６】
【特許文献１】特開２００２−２０００６１号公報
【発明の開示】
【発明が解決しようとする課題】
【０００７】
本発明の目的は、構造が簡単で、薄型の穿刺手段を備えた体液採取具を提供することにある。
【課題を解決するための手段】
【０００８】
このような目的は、下記（１）〜（１１）の本発明により達成される。
（１）  第１の面と、第２の面とを有し、前記第１の面から前記第２の面へ貫通する部分を一部に有する基板と、
前記基板の第１の面にその一端が片持支持された板バネと、該板バネの他端部の前記基板側の面に、その先端が前記貫通部分を通過可能に形成された穿刺針とからなる穿刺手段と、
前記基板の第２の面で前記貫通部分の縁部に設けられた生体表面を当接する当て部とを備え、
前記板バネは、自然状態で前記穿刺針が前記基板の第１の面から離れて位置する第１の位置と、前記当て部に当接された生体表面に向けて前記穿刺針を移動するための力が蓄積される第２の位置と、前記穿刺針が生体表面を穿刺する第３の位置とに変位可能であることを特徴とする体液採取具。
【０００９】
（２）  前記穿刺針による生体表面の穿刺部位から出た体液を吸収・保持し、該吸収・保持された体液中の所定成分を検出する検出部を前記基板の第１の面に備え、
前記板バネは、前記第１の位置、前記第２の位置および前記第３の位置で、前記検出部を回避するように形成されている 上記（１）に記載の体液採取具。
【００１０】
（３）  前記板バネは、前記検出部の両側に位置する２つのアーム部と、前記両アーム部を連結する小片とで構成されている 上記（２）に記載の体液採取具。
【００１１】
（４）  前記板バネの２つのアーム部と小片とは、前記検出部を囲む位置にあり、かつ、前記板バネが変位しても該検出部と接触しない位置にある 上記（３）に記載の体液採取具。
【００１２】
（５）  前記生体表面を穿刺する際の前記穿刺針の穿刺深さを規制する規制手段を備えた 上記（１）ないし（４）のいずれかに記載の体液採取具。
【００１３】
（６）  前記第１の位置に位置する前記板バネを前記第２の位置まで変位させるための操作を行う操作部を備えた 上記（１）ないし（５）のいずれかに記載の体液採取具。
【００１４】
（７）  前記体液採取具が前記基板の側端から伸長した側壁部を有し、
前記側壁部には、前記板バネが前記第２の位置に位置していることを示す指標が付されている 上記（１）ないし（６）のいずれかに記載の体液採取具。
【００１５】
（８）  前記当て部は、前記穿刺針により生体表面が穿刺された後、その穿刺部位より外周の生体表面を変形させるように変位する 上記（１）ないし（７）のいずれかに記載の体液採取具。
【００１６】
（９）  前記当て部の生体表面に対する当接面は、前記当て部が変位したとき、生体表面に対して滑り止め機能を発揮するように形成されている 上記（８）に記載の体液採取具。
【００１７】
（１０）  前記当て部の生体表面に対する当接面は、生体表面に対して滑り難い形状をなしている 上記（１）ないし（９）のいずれかに記載の体液採取具。
【００１８】
（１１）  前記当て部の生体表面に対する当接面は、柔軟性を有する 上記（１）ないし（１０）のいずれかに記載の体液採取具。
【発明の効果】
【００１９】
本発明によれば、穿刺針を移動させる手段が板バネによって構成されているため、体液採取具を薄型とすることができる。
また、同様の構成により、体液採取具を簡単な構造とすることができる。
【発明を実施するための最良の形態】
【００２０】
以下、本発明の体液採取具の好適実施形態に基づいて詳細に説明する。
図１は、本発明の体液採取具（第１の位置）を示す斜視図、図２〜図５は、それぞれ、図１に示す体液採取具の概略縦断面図、図６は、図１に示す体液採取具の平面図、図７は、図１に示す体液採取具の下面図である。
【００２１】
なお、以下では、図１〜図４中、上側を「上」または「上方」、下側を「下」または「下方」として説明する。また、以下では、図１〜図７中、左側を「左」または「左方」、右側を「右」または「右方」として説明する。
【００２２】
チップ（体液採取具）１において、生体表面（表皮）の体液の採取に関与する部位（体液採取部位）は、好ましくは指であるが、この他、例えば、手（手の平、手の甲、手の側部）、腕、大腿、耳たぶ等であってもよい。
【００２３】
以下では、体液として血液を、所定成分としてブドウ糖を、体液採取部位（穿刺部位）として指先（指）を、それぞれ代表に説明する。
【００２４】
図２に示すように、チップ１は、板バネ２と、操作部４と、ハウジング３と、穿刺針５と、検出部７と、当て部８とを有している。以下、各構成要素について、順次説明する。
【００２５】
図７に示すように、板バネ２は、２つのアーム部２１と、小片２２とで構成されている。
各アーム部２１は、その形状が長尺状（帯状）をなしている。
【００２６】
小片２２は、その形状が短冊状をなしている。この小片２２は、平行に設けられた両アーム部２１の一端部同士を連結している。すなわち、板バネ２は、その形状が「コ」の字状をなしている（図７参照）。
【００２７】
なお、板バネ２の構成材料としては、特に限定されないが、例えば、各種金属材料や各種プラスチック（樹脂材料）等を単独または組み合わせて用いることができる。
【００２８】
また、板バネ２の小片２２の上面２２１、すなわち、板バネ２の右側（他端部）には、穿刺針５が設けられている。この穿刺針５は、板バネ２の板厚方向（上側）に突出している。
【００２９】
図２に示すように、穿刺針５は、その先端部に鋭利な針先（刃先）５１１を有している。この針先５１１により、生体表面である指先１００の表面（皮膚）を穿刺して、穿刺部位から血液（体液）２００を出させる（採取する）。
【００３０】
また、穿刺針５は、中空針であってもよいが、中実針であるのがより好ましい。これにより、より細径の穿刺針５とすることができる。その結果、皮膚の穿刺に際して、患者の苦痛をより低減することができる。
【００３１】
また、穿刺針５の長さは、特に限定されないが、例えば０．１〜５ｍｍが好ましく、０．３〜３ｍｍがより好ましい。
【００３２】
図１、図２および図７に示すように、ハウジング３は、板状の基部（基板）３５と、２つの側部（側壁部）３６とを有している。
【００３３】
各側部３６は、基部３５の両側にそれぞれ、基部３５の長手方向に沿って、延在している。これら基部３５および両側部３６で囲まれた空間により、内腔部３３が形成されている。
【００３４】
基部３５の一端側（右側）には、内腔部３３が開放する開口３１、すなわち、下面から上面へ貫通する部分が形成されている。穿刺針５（少なくとも針先５１１）は、開口３１を通過して、ハウジング３の基部３５から突出する（図４参照）。
【００３５】
また、内腔部３３内には、穿刺針５が設置された板バネ２が設けられ（収納され）ている（図２参照）。
【００３６】
板バネ２（アーム部２１）は、その左側（一端）において、ハウジング３の基部３５の下面（第１の面）３５１に設けられた固定部３７に片持支持（固定）されている。これにより、板バネ２は、その左側が固定端となり、右側が可動端となる。
【００３７】
このように設けられた板バネ２は、３つの位置（第１の位置、第２の位置および第３の位置）に変位することができる。
【００３８】
第１の位置では、板バネ２が自然状態（外力が付されていない状態）で、穿刺針５がハウジング３（内腔部３３）内に位置している（図２参照）。
【００３９】
また、第２の位置では、板バネ２の前記可動端側（右側）を下方に押圧（移動）して、指先１００に向けて穿刺針５を移動するための力（以下、「移動力」という）が、板バネ２に蓄積される（図３参照）。
【００４０】
また、第３の位置では、移動力により、穿刺針５が上方（指先１００方向）に移動（変位）して、指先１００を穿刺する（図４参照）。
【００４１】
また、この第３の位置では、板バネ２（アーム部２１）の上面２１１が、ハウジング３（基部３５）の下面３５１に当接する。これにより、指先１００における穿刺針５の穿刺深さを規制することができる、すなわち、穿刺針５が指先１００に過剰に深く穿刺するのを防止することができる。このように、板バネ２の上面２１１と、ハウジング３の下面３５１とは、前記穿刺深さを規制する規制手段として機能している。
その後、板バネ２は、第１の位置に自然復帰し、穿刺針５が指先１００から外れる。
【００４２】
このような構成のチップ１（板バネ２）により、穿刺針５を穿刺（移動）させる手段が板バネ２によって構成されているため、穿刺手段を備えたチップ１を薄型とすることができる。
【００４３】
また、チップ１を薄型とすることによって、穿刺針５のストローク（移動距離）を小さくしても、指先１００を穿刺することができる。
【００４４】
また、同様に、穿刺針５を穿刺（移動）させる手段が板バネ２によって構成されているため、穿刺手段を有するチップ１を簡単な構造とすることができ、よって、例えば、チップ１を構成する部品点数を少なくすることができる。また、成分測定装置に穿刺手段を設ける必要がないので、該装置を小さくすることができる。
【００４５】
図３に示すように、板バネ２の可動端側には、操作部４が設けられている。操作部４は、円板状の円板状部（被押圧部）４１と、円板状部と板バネ２とを連結する連結部４２とで構成されている。
【００４６】
円板状部４１を下方（図３中の矢印方向）に押圧することにより、第１の位置に位置する板バネ２を第２の位置まで変位させることができる。すなわち、円板状部４１を下方に押圧することにより、板バネ２に移動力を蓄積させることができる。
【００４７】
このように、操作部４を設けたことにより、板バネ２を第１の位置から第２の位置へ容易に（確実に）変位させる（操作する）ことができる。
【００４８】
また、図７に示すように、操作部４は、板バネ２に一体的に設けられているのが好ましい。これにより、操作部４を別部材として設けるのが省略され、チップ１を構成する部品点数を少なくすることができる。
【００４９】
図３に示すように、ハウジング３の側部３６には、その操作部４側に切欠き３６１が形成されている。
【００５０】
この切欠き３６１は、板バネ２が第２の位置に位置していることを示す指標として機能している。すなわち、操作部４の円板状部４１を押圧して、連結部４２の上面４２１が切欠き３６１の下部に移動すると、板バネ２が第２の位置に位置していることが確認される。これにより、板バネ２に確実に移動力を蓄えることができる。
【００５１】
また、例えば、円板状部４１を押圧したとしても、板バネ２が第２の位置に位置していない、すなわち、板バネ２が第２の位置より上方に位置している場合がある。このとき、円板状部４１における押圧を解除しても、板バネ２に移動力が十分に蓄積されていないため、指先１００が穿刺針５により穿刺されないおそれがある。従って、再度、円板状部４１を押圧して、穿刺を行うことができる。
【００５２】
また、円板状部４１を強く押圧した場合、板バネ２が第２の位置より下方に位置することとなる。この状態で、円板状部４１における押圧を解除すると、板バネ２が勢いよく第３の位置へ変位する。しかし、規制手段によって、穿刺針５の突出量は、規制されているので、指先１００を深く穿刺し過ぎることははい。ただし、穿刺針５が勢いよく指先１００を穿刺するため、チップ１の使用者（患者）は、穿刺による恐怖感を抱くようになるおそれがある。
【００５３】
従って、以上ような穿刺の不足および穿刺による恐怖感を解消するためにも、切欠き３６１のような指標を設けるのが好ましい。
【００５４】
なお、指標としては、切欠きに限定されず、例えば、ハウジング３の側部３６に突起を設けたり、バネ位置を示すスケールを印刷で施したもの（マーキング）等であってもよい。
【００５５】
図２に示すように、ハウジング３の基部３５の下面３５１には、検出部７が設けられている。この検出部７は、下面３５１に設けられた固定部３７および３８により、固定されている。
【００５６】
検出部７は、穿刺針５（針先５１１）の穿刺により指先１００から出た血液（体液）２００を吸収・保持し、当該吸収・保持された血液２００中のブドウ糖（所定成分）を検出する部位である。この検出部７は、試験紙７３と、該試験紙７３を保持する保持部７６とを有している。
【００５７】
図６に示すように、試験紙７３は、開口３１に露出している。穿刺針５の穿刺により指先１００から流出した血液２００は、開口３１を通過して（介して）、試験紙７３に到達する（図５参照）。その後、血液２００が試験紙７３に担持された試薬と反応して、この血液２００中のブドウ糖が検出される。
【００５８】
試験紙７３は、血液２００中のブドウ糖を検出（反応）し得るものであり、例えば、血液２００を吸収可能な担体（吸収体）に、試薬（発色試薬）を担持（含浸）してなるものである。このような、簡単な構成で試験紙７３を作製することができ、また、検出部７に試験紙７３を容易に設置することができる。
【００５９】
また、この担体は、好ましくは多孔性膜で構成されている。この場合、多孔性膜は、血液２００中の赤血球を濾過できる程度の孔径を有するものが好ましい。
【００６０】
多孔性膜の担体の構成材料としては、ポリエステル類、ポリアミド類、ポリオレフィン類、ポリスルホン類またはセルロース類等が挙げられるが、試薬を溶解した水溶液を含浸させたり、血液２００の採取時には血球を濾過するため、親水性を有する材料または、親水化処理されたものが好ましい。
【００６１】
また、試験紙７３の担体は、単層のシートで構成してもよく、複数枚のシートを積層した多層構造であってもよい。
【００６２】
担体（多孔性膜）に含浸する試薬としては、血糖値測定用の場合、グルコースオキシダーゼ（ＧＯＤ）と、ペルオキシダーゼ（ＰＯＤ）と、例えば４−アミノアンチピリン、Ｎ−エチルＮ−（２−ヒドロキシ−３−スルホプロピル）−ｍ−トルイジンのような発色剤（発色試薬）とが挙げられる。その他、測定成分に応じて、ＧＯＤの代わり、またはＧＯＤとＰＯＤとの代わりに、例えばアスコルビン酸オキシダーゼ、アルコールオキシダーゼ、アルコールデヒドロゲナーゼ、ガラクトースオキシダーゼ、フルクトースデヒドロゲナーゼ、コレステロールオキシダーゼ、コレステロールデヒドロゲナーゼ、乳酸オキシダーゼ、乳酸デヒドロゲナーゼ、ビリルビンオキシダーゼ、キサンチンオキシダーゼ等の酵素を選択することができ、適宜選択された発色剤（発色試薬）とを組み合わせて使用される。また、さらにリン酸緩衝液のような緩衝剤が含まれていてもよい。なお、試薬の種類、成分については、これらに限定されないことは言うまでもない。
【００６３】
図７に示すように、検出部７（保持部７６）は、その形状がほぼ長尺状をなしている。この検出部７の両側には、板バネ２の２つアーム部２１がそれぞれ位置し、各端部は、小片２２によって連結している。すなわち、板バネ２は、検出部７を囲むように（回避するように）設けられて（形成されて）いる。
【００６４】
板バネ２がこのように形成されていることにより、板バネ２の移動（変位）に伴って、第１の位置、第２の位置および第３の位置で、板バネ２（２つのアーム部２１と小片２２と）が検出部７に干渉する（接触する）のが確実に防止される。
【００６５】
なお、検出部７がブドウ糖を検出する方式としては、特に限定されず、例えば、電極式による検出、光学式による検出等が挙げられる。
【００６６】
図１（図６も同様）に示すように、当て部８は、基部３５の上面３５２に設けられている。この当て部８は、形状がリング状の本体８５と、本体８５と同心的に設けられたパッド８４とを有している。
【００６７】
図２に示すように、当て部８（本体８５）は、その中心とハウジング３の開口３１の中心とがほぼ一致するように、開口３１の縁部に設けられている。この当て部８は、チップ１が指先１００から血液２００を採取するときに、この指先１００に当接しつつ、穿刺針５の中心軸回りに回転（変位）する部位である。
【００６８】
このように、当て部８がリング状をなしていることにより、当て部８（チップ１）が指先１００に対して円滑に（スムーズに）回転することができる。
【００６９】
また、図２に示すように、本体８５（当て部８）の下面８１には、その周方向に沿って（リング状の）凹部８２が形成されている。凹部８２には、ハウジング３（基部３５）の上面（第２の面）３５２にリング状に突出形成された爪部３４が係合する。これにより、当て部８がハウジング３に対して回転可能に装着（連結）される。
【００７０】
本体８５の上面には、形状がリング状のパッド８４が固着（設置）されている。このパッド８４の表面、すなわち、指先１００に当接する当接面８３は、その内周部（内側）よりも外周部（外側）が上方に突出するように傾斜している。換言すれば、当て部８の当接面８３は、すり鉢状をなしている。これにより、当接面８３（当て部８）と指先１００との接触面積を大きくし、当接面８３と指先１００との摩擦力が増大することによって、滑り止め効果が大きくなる。すなわち、当接面８３と指先１００とが確実に当接することができ、よって、当て部８（当接面８３）が回転した際、穿刺針５の穿刺による傷口（穿刺部位）より外周の部位（生体表面）を確実に変形させて、その傷口を確実に開くことができる。従って、前記傷口から血液２００が確実に出ることとなり、その血液２００をより確実に採取することができる。
【００７１】
なお、穿刺針５の中心軸に対する当接面８３の傾斜角度（図２中のθで示す角度）は、特に限定されないが、例えば、３０〜９０度であるのが好ましく、６０〜８０度であるのがより好ましい。これにより、当接面８３と指先１００とがより確実に当接することができる。
【００７２】
パッド８４（当接面８３）は、指先１００に対して柔軟性を有する材料で構成されているのが好ましい。これにより、当て部８を指先１００に宛がった際、当接面８３が指先１００の表面の形状にならうこととなり、当て部８と指先１００との接触面積を大きくすることができる。従って、当接面８３の指先１００に対する滑り止め機能が増大する。
【００７３】
なお、この柔軟性を有する（パッド８４を構成する）材料としては、特に限定されないが、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料（特に加硫処理したもの）や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、これらのうちの１種または２種以上を混合して用いることができる。
【００７４】
また、図６に示すように、当接面８３には、微小な凹凸、すなわち、複数の溝８３１が形成されている。これらの溝８３１は、それぞれ波形をなしており、互いにほぼ等間隔に設けられている。当接面８３が指先１００に対して滑り難い（滑り止め機能を発揮する）形状をなしているため、当て部８が回転した際、当接面８３と指先１００とが密着した状態で穿刺部位を確実に変形させることができ、よって、穿刺部位からより確実に血液２００を出す（採取する）ことができる。
【００７５】
なお、当接面８３が指先１００に対して滑り止め機能を発揮する方法（手段）としては、当接面８３が指先１００に対して滑り難い形状をなすように形成されているのに限定されず、例えば、当接面８３が指先１００に対して滑り難い材料で構成されていてもよい。このような材料としては、特に限定されないが、例えば、パッド８４で挙げたような材料を用いることができる。
【００７６】
また、本体８５の構成材料としては、特に限定されないが、例えば、パッド８４で挙げたような材料、各種金属材料、各種プラスチック（例えば、アクリル系樹脂、ポリカーボネート、アクリロニトリル−ブタジエン−スチレン共重合体（ＡＢＳ樹脂）、ポリエチレン、ポリプロピレン等）、各種ガラス材料等を単独または組み合わせて用いることができる。
【００７７】
また、当て部８（本体８５）とハウジング３との連結方法は、係合によるのに限定されず、例えば、嵌合等であってもよい。
【００７８】
次に、チップ１を用いて、指先１００から血液２００を採取する方法（血液採取方法（体液採取方法））について、図２〜図５を参照して説明する。
【００７９】
まず、図２に示すように、当て部８に指先１００を宛がう、すなわち、パッド８４（当接面８３）に指先１００を当接させる。
【００８０】
次に、図２に示す状態から、操作部４の円板状部４１を下方に押圧して、板バネ２を第２の位置に移動（変位）させる（図３参照）。このとき、操作部４の連結部４２が切欠き３６１の下部に位置しているのを確認するのが好ましい。
【００８１】
次に、円板状部４１の押圧を解除する。これにより、板バネ２は、第２の位置から第３の位置へ移動する（図４参照）。そして、ハウジング３の開口から突出した穿刺針５により、指先１００が穿刺され、この指先１００に傷が生じる。このとき、板バネ２の第３の位置への移動は、一瞬であり、指先１００を穿刺した後、直ちに基部３５の下面３５１から離れて、第１の位置へ戻る（図５参照）。
【００８２】
次に、当て部８を指先１００に当接しつつ、穿刺針５の中心軸回りに回転させる。なお、この回転は、時計回りの回転、反時計回りの回転、時計回りと反時計回りとを交互に行う回転のいずれの回転であってもよい。
【００８３】
当て部８の回転により、傷口付近がねじられる（変形する）こととなり、当該傷口が開いて、血液２００が絞り出される（採取される）。
【００８４】
次に、血液２００は、ハウジング３の開口３１を通過して、試験紙７３に到達する。その後、この血液２００中のブドウ糖が試験紙７３で検出される。
【００８５】
このように、チップ１では、当て部８を回転させて穿刺部位付近を変形させることによって、指先１００の穿刺部位から血液２００を確実に採取することができる。
【００８６】
以上、本発明の体液採取具を図示の実施形態に基づいて説明したが、本発明は、これらに限定されるものではない。また、体液採取具の各部の構成は、同様の機能を発揮し得る任意の構成のものに置換することができる。
【００８７】
また、板バネは、図示のようにハウジングの長手方向に対して傾斜するように設けられているのに限定されず、例えば、ハウジングの長手方向とほぼ平行となるように設けられていてもよい。
【００８８】
また、操作部の操作は、手動で行われるが、例えば、電動、バネ、超音波、油圧、水圧などの駆動で行われてもよい。
【００８９】
また、当て部の回転（変位）動作は、手動で行われるが、例えば、電動、バネ、超音波、油圧、水圧などの駆動で行われてもよい。なお、手動で回転する場合は、当て部につまみを設けることができる。
【００９０】
また、チップは、当て部が回転するよう構成されているのに限定されず、例えば、当て部が穿刺部位付近を往復するよう構成されていてもよし、当て部が超音波で穿刺部位付近を振動させるよう構成されていてもよい。
【００９１】
また、当て部の当接面は、傾斜するように形成されているのに限定されず、例えば、湾曲するように形成されていてもよいし、穿刺方向（穿刺針の中心軸）に対してほぼ垂直に形成されていてもよい。
【００９２】
また、パッドは、当て部の本体に固定（固着）されているのに限定されず、本体に対して着脱自在に設置されていてもよい。
【００９３】
また、パッドに形成された溝の形状は、波形であるのに限定されず、例えば、長尺状、放射状、同心円状、ドット状であってもよい。
【００９４】
また、採取する体液は、血液を代表として説明したが、本発明では、採取する体液は、これに限らず、例えば、汗、リンパ液、間質液等であってもよい。
【００９５】
また、測定目的とする成分（所定成分）は、ブドウ糖を代表として説明したが、測定目的の成分は、これに限らず、例えば、タンパク、コレステロール、尿酸、クレアチニン、糖化ヘモグロビン、ケトン体、ビリルビン、ホルモン、アルコール等の有機化合物、アンモニア、ナトリウム、カリウム、カルシウム、塩素、リン酸、炭酸、ｐＨ等の無機イオン等であってもよい。
【図面の簡単な説明】
【００９６】
【図１】本発明の体液採取具（第１の位置）を示す斜視図である。
【図２】本発明の体液採取具（第１の位置）を示す概略縦断面図である。
【図３】本発明の体液採取具（第２の位置）を示す概略縦断面図である。
【図４】本発明の体液採取具（第３の位置）を示す概略縦断面図である。
【図５】本発明の体液採取具（第１の位置）を示す概略縦断面図である。
【図６】図１に示す体液採取具の平面図である。
【図７】図１に示す体液採取具の下面図である。
【符号の説明】
【００９７】
１            チップ
２            板バネ
２１          アーム部
２１１        上面
２２          小片
２２１        上面
３            ハウジング
３１          開口
３３          内腔部
３４          爪部
３５          基部（基板）
３５１        下面
３５２        上面
３６          側部（側壁部）
３６１        切欠き
３７、３８    固定部
４            操作部
４１          円板状部（被押圧部）
４２          連結部
４２１        上面
５            穿刺針
５１１        針先
７            検出部
７３          試験紙
７６          保持部
８            当て部
８１          下面
８２          凹部
８３          当接面
８３１        溝
８４          パッド
８５          本体
１００        指先
２００        血液
【図１】
2006075369.tif 000003
【図２】
2006075369.tif 000004
【図３】
2006075369.tif 000005
【図４】
2006075369.tif 000006
【図５】
2006075369.tif 000007
【図６】
2006075369.tif 000008
【図７】
2006075369.tif 000009